(57)【要約】      （修正有）【課題】リモコン受光素子の受光感度低下を防ぎ、操作不能となる恐れを低減するＬＥＤ照明装置を提供する。【解決手段】照明用ＬＥＤ９とリモコン受光素子１０が同一の光源基板に実装され、照明用ＬＥＤ９とリモコン受光素子１０の部品高さがほぼ同等であり、ＬＥＤカバー６における前記照明用ＬＥＤ９に対向する部分とリモコン受光素子１０に対向する部分との間に傾斜状の傾斜部６ｃを設けることにより、照明用ＬＥＤ９から発せられる波長とリモコンの送信信号が干渉することを防止する。【選択図】図５
2018037176.tif 000002
【特許請求の範囲】
【請求項１】
照明用ＬＥＤとリモコン受光素子が同一の光源基板に実装され、
前記照明用ＬＥＤとリモコン受光素子の部品高さがほぼ同等であるＬＥＤ照明装置。
【請求項２】
本体ベースと、該本体ベースに取り付けられる放熱板と、前記本体ベースと前記放熱板とに囲まれる電源基板と、前記放熱板に取り付けられる前記光源基板と、前記照明用ＬＥＤと前記リモコン受光素子と前記光源基板とを覆うＬＥＤカバーと、を有するＬＥＤシーリングライト本体と、前記ＬＥＤシーリングライト本体に取り付けられる透光カバーと、を有し、
前記ＬＥＤカバーにおける前記照明用ＬＥＤに対向する部分とリモコン受光素子に対向する部分との間に傾斜状の傾斜部を設けることを特徴とする請求項１に記載のＬＥＤ照明装置。
【発明の詳細な説明】
【技術分野】
【０００１】
本発明は、ＬＥＤ照明装置に関するものである。
【背景技術】
【０００２】
従来のＬＥＤ照明装置は、リモコンより送信される信号を受信するための部品である、リモコン受光素子がＬＥＤ点灯基板の内側等に実装されている。
【先行技術文献】
【特許文献】
【０００３】
【特許文献１】特開２０１１−１０８６０４号公報
【発明の概要】
【発明が解決しようとする課題】
【０００４】
リモコン受光素子を、ＬＥＤ点灯基板の内側等の本体等の影となる位置に実装した場合、リモコン受光素子の受光感度低下を招く恐れがあるため、本体等よりも床面に近い位置に実装することがリモコン受光素子の受光感度向上には理想である。しかし、その場合、ＬＥＤの光を遮り、照度低下や見栄えの悪化、また、ＬＥＤから発せられる波長とリモコンの送信信号が干渉し、操作不能となる恐れがある。これに対し、本発明では、リモコン受光素子の受光感度低下を防ぎ、操作不能となる恐れを低減するＬＥＤ照明装置を提供することを目的とする。
【課題を解決するための手段】
【０００５】
上記を解決するために、照明用ＬＥＤとリモコン受光素子が同一の光源基板に実装され、前記照明用ＬＥＤとリモコン受光素子の部品高さがほぼ同等であることを特徴とする。
【発明の効果】
【０００６】
本発明により、リモコン受光素子の受光感度低下を防ぎ、操作不能となる恐れを低減するＬＥＤ照明装置を提供することができる。
【図面の簡単な説明】
【０００７】
【図１】ＬＥＤシーリングライト１の全体斜視図である。
【図２】図１のＬＥＤシーリングライト１の一部分解斜視図である。
【図３】図１のＬＥＤシーリングライト１の分解斜視図である。
【図４】図１のＡ−Ａ´断面図である。
【図５】図４の部分拡大図である。
【発明を実施するための形態】
【０００８】
本発明の実施に係る形態について、以下、図面を用いて説明する。ＬＥＤシーリングライト１の全体斜視図である。図２は図１のＬＥＤシーリングライト１の一部分解斜視図である。図３は図１のＬＥＤシーリングライト１の分解斜視図である。図４は図１のＡ−Ａ´断面図である。
【０００９】
本例では、ＬＥＤシーリングライトを略円形状としたが、形状はこれに限定されるものではない。
【００１０】
ＬＥＤシーリングライトは、家屋の天井面に設けられる引掛ローゼットや引掛シーリングなどの屋内配線器具（不図示）に係合する取付アダプタ（不図示）を介することによって外部電源に接続されると共に、天井面の所定位置に固定されて利用に供される。なお、以下の説明において、特に断らない限り、ＬＥＤシーリングライトが天井面に取り付けられた状態を基準として、天井側を「上面側」と呼び、その反対側（床側）を「下面側」と呼ぶ。
【００１１】
図１に示すように、ＬＥＤシーリングライト１は、ＬＥＤシーリングライト本体２と、ＬＥＤシーリングライト本体２に取り付けられる透光カバー３と、透光カバー３の外周側に取り付けられる飾り枠４を備える。
図２に示すように、ＬＥＤシーリングライト１において、透光カバー３は、ＬＥＤシーリングライト本体２から着脱自在である。
【００１２】
図３に示すように、ＬＥＤシーリングライト１は、天井側に近い部材から、略円形状の本体ベース１５、センサ１４、絶縁板１３、本体ベース１５と放熱板１１とに囲まれる電源基板１２、本体ベース１５に取り付けられる放熱板１１、放熱板１１に取り付けられる光源基板８、反射シート７、光源基板８を覆うＬＥＤカバー６、反射カバー５からなるＬＥＤシーリングライト本体２と、飾り枠４と、ＬＥＤシーリングライト本体２に取り付けられる透光カバー３とを備えて構成されている。
【００１３】
ＬＥＤシーリングライト本体２において、本体ベース１５は、例えば金属板などを略円形状に加工成形した部品である。本体ベース１５の中央には、略円形状の孔である器具取付部が設けられている。器具取付部には、不図示の取付アダプタが引掛け部を介して係合固定される。この取付アダプタは、天井側の屋内配線器具に係合固定される。これにより、本体ベース１５を含むＬＥＤシーリングライト１は、取付アダプタ、器具取付部および屋内配線器具をそれぞれ介して、天井面の所定位置に固定されるようになっている。
【００１４】
光源基板８には照明用ＬＥＤ９とリモコン受光素子１０が搭載されており、この二つの部品高さをほぼ同等とすることにより、照明用ＬＥＤ９の光り方を邪魔することなく、リモコン受光素子１０の受光感度低下を防ぐことができる。また、別置きの際に必要となる部品を削除することができるという効果も奏する。
器具取付部の近傍には、不図示の給電接続部が設けられている。給電接続部は、不図示の電線を介して、取付アダプタと電源基板１２との間を電気的に接続している。これにより、ＬＥＤシーリングライト１は、屋内配線器具、取付アダプタ、および給電接続部をそれぞれ介して給電を受けるようになっている。
【００１５】
絶縁板１３は、本体ベース１５と、放熱板１１との間に介在させて設けられている。本体ベース１５および放熱板１１は、いずれも金属製で、例えばプレコートメタル（ＰＣＭ）鋼板である。これに対し、絶縁板１３は、電気絶縁性および難燃性を有する例えばポリプロピレン（ＰＰ）などの樹脂材料を用いて成形されている。
【００１６】
電源基板１２は、絶縁板１３の外縁に突設された基板係止部を介して絶縁板１３に保持されている。絶縁板１３は、本体ベース１５にねじ止め固定されている。これにより、電源基板１２は、本体ベース１５および放熱板１１によって囲まれた放熱空間内に、電気絶縁性を維持した状態で係止固定されている。
【００１７】
放熱板１１は、電源基板１２、および、複数のＬＥＤが実装された光源基板８を冷却する役割を果たす。これら基板は、その作動時に発熱する。一般に、半導体素子であるＬＥＤは、熱に弱い性質がある。また、使用時には低電圧の大電流を流して高輝度発光を行うため、この発光に伴う発熱によってＬＥＤそれ自体や周囲の部材が劣化してゆく。かかる劣化を抑制して長寿命・高信頼性を実現するには、適切な放熱を行うことが求められる。
【００１８】
電源基板１２、および光源基板８が発熱すると、本体ベース１５および放熱板１１によって囲まれた放熱空間の雰囲気温度は上昇する。このとき、放熱空間の容積が小さいと、そこに収容される空気の量は少なくなる。その結果、空気の接触による放熱効果が低下してしまうため、放熱空間の容積はできるだけ大きい方が好ましい。また、熱伝導性を良好に維持する観点から、放熱板１１は、略円錐台形状で、継ぎ目なく一体に成形されることが好ましい。こうした放熱板１１は、金属製の薄板をプレス成形することによって製造される。
【００１９】
照明用光源において、光源基板８は、それぞれが共通の略扇形状の４枚の基板を含んで構成されてもよい。これら４枚の基板は、放熱板１１の所定位置に取り付けられた状態において、全体として略ドーナツ形状を形成するようになっている。
【００２０】
光源基板８には、主光源としての複数の主ＬＥＤおよび、保安灯用ＬＥＤが半田付けにより実装されている。これらのＬＥＤは、作動時に光を放射すると共に発熱し、それら自体の温度が上昇する。ＬＥＤは、温度が高くなるにしたがって、その発光効率が低下してゆく。また、寿命も短くなってゆく。このため、温度上昇に見合った適切な放熱手段を別途設ける必要がある。
【００２１】
ＬＥＤカバー６は、複数のＬＥＤより発せれた光束を下面側（床側）へ導く機能、複数のＬＥＤに係る給電線への接触を物理的に妨げる機能、および、光源基板８を放熱板１１に対して密着させるように押し付ける機能を有している。
【００２２】
図２において、光源基板８にＬＥＤカバー６を取り付けた状態の一例を示す部分図である。図示のように、複数のＬＥＤは、対応する複数のドーム形状部を介して光を出射するように構成されている。本例では、一対のＬＥＤの組を、ひとつのドーム形状部内に収容しているが、ドーム形状部内に収容されるＬＥＤの数はこれに限定されない。一対のＬＥＤの組のうち、例えば、一方は白色系統の光束を放射する白色系統ＬＥＤであり、他方は暖色系統の光束を放射する暖色系統ＬＥＤである。これらのＬＥＤとしては、例えば、青色の光束を放射する青色ＬＥＤと黄色の蛍光体とを組み合わせることによって、青色発光と黄色発光とが合成されて白色光や暖色光（例えばオレンジ色など）を放射するものなどを適宜採用すればよい。
【００２３】
ＬＥＤカバー６は、例えばポリカーボネート（ＰＣ）やアクリル（ＰＭＭＡ）、ポリスチレン（ＰＳ）などの、透光性および電気絶縁性を有する樹脂を用いて一体成形される。
この樹脂を用いた一体成形と、各ＬＥＤからの光をそれぞれ通過させる複数のドーム形状部とが相まって、ＬＥＤカバー６の剛性を確保すると共に、放熱板１１に対する光源基板８の密着性を向上するようにしている。
【００２４】
放熱板１１とＬＥＤカバー６との間は、光源基板８を介在させて放熱板１１に対してＬＥＤカバー６をねじ止め固定する構成を採用している。これにより、放熱板１１に対する光源基板８の密着性が高くなり、放熱性を向上することができる。このため、発光面の密度が均一で、かつ、ＬＥＤの発光効率に優れたＬＥＤシーリングライト１を実現することができる。
さらに、ＬＥＤカバー６に対する適正な位置にＬＥＤの配置を矯正すると共に、光源基板８の反りや変形を軽減するといった効果もある。
【００２５】
透光カバー３は、放熱板１１の裾野部に固定された取付具によって、吊り下げ状態で係合保持される。具体的には、例えば、透光カバー３を周方向反時計回りに回転させることによって、透光カバー３に突設した図示しない係合部が外れるようになっている。透光カバー３は、例えばアクリル（ＰＭＭＡ）などの透光性樹脂を用いて一体成形される。
【００２６】
図４は、ＬＥＤシーリングライト本体２の断面図であり、照明用ＬＥＤ９とリモコン受光素子１０が実装されている状態の光源基板８にＬＥＤカバー６を取り付けた状態を示す部分図である。
図５は、図４の部分拡大である。図示のように、複数の照明用ＬＥＤ９は、対応する複数のドーム形状部６ａを介して光を出射するように構成され、リモコン受光素子１０は、ドーム形状ではない部分６ｂに配置される。また、照明用ＬＥＤ９とリモコン受光素子１０の間には、ＬＥＤカバー６の傾斜部６ｃが設けられている。ＬＥＤカバー６における照明用ＬＥＤ９に対応する部分とリモコン受光素子１０に対応する部分との間に傾斜状の傾斜部６ｃを設けることにより、照明用ＬＥＤ９から発せられる波長がリモコン受光素子１０に届きにくい構造となる。
【符号の説明】
【００２７】
１    ＬＥＤシーリングライト
２    ＬＥＤシーリングライト本体
３    透光カバー
４    飾り枠
５    反射カバー
６    ＬＥＤカバー
７    反射シート
８    光源基板
９    照明用ＬＥＤ
１０  リモコン受光素子
１１  放熱板
１２  電源基板
１３  絶縁板
１４  センサ
１５  本体ベース
Ａ    拡大範囲
【図１】
2018037176.tif 000003
【図２】
2018037176.tif 000004
【図３】
2018037176.tif 000005
【図４】
2018037176.tif 000006
【図５】
2018037176.tif 000007